Podtech/llm-jp-corpus-v4-ja_patent huggingface dataset:
(57)【要約】【課題】廻り縁の下方に配設される配管と、廻り縁とを配管カバーで一体的に覆い、外観性及び美観の向上を図る。【解決手段】壁２０と天井３０とのコーナー部に取り付けられる廻り縁４０に沿って配設された配管５０を覆うための配管カバー１０において、配管５０を壁２０に支持する配管支持部材１１と、該配管支持部材１１に係合し、配管５０及び配管支持部材１１を覆うカバー体１２とを備え、該カバー体１２に前記廻り縁４０を覆う化粧板１２ｂを一体に設ける。【選択図】図１
2007327561.tif 000002
【特許請求の範囲】
【請求項１】
壁と天井とのコーナー部に取り付けられる廻り縁に沿って配設される配管を覆うための配管カバーにおいて、前記配管を壁面に支持する配管支持部材と、該配管支持部材に係合し、配管及び配管支持部材を覆うカバー体とを備え、該カバー体に、前記廻り縁を覆う化粧板を一体に設けたことを特徴とする配管カバー。
【発明の詳細な説明】
【技術分野】
【０００１】
本発明は、建物の壁面に配設される水道管やガス管などの配管を覆う配管カバーに関する。
【背景技術】
【０００２】
従来、水道管やガス管などの配管を壁面に配設する際には、外観性及び美観の点から配管カバーで覆うようにしている。この配管カバーは、配管を壁面に支持する配管支持部材と、該配管支持部材に支持された配管を覆うカバー体とを備えている（例えば、特許文献１参照。）。
【特許文献１】特開平１１−１６６２５０号公報
【発明の開示】
【発明が解決しようとする課題】
【０００３】
しかし、壁と天井とのコーナー部に取り付けられる廻り縁の下方に配設された配管を、上述のような配管カバーで覆う際には、配管支持部材に支持された配管のみをカバー体が覆い、廻り縁は露出した状態であることから、カバー体と廻り縁との材質に違いがある場合など、外観性に優れないことがあった。
【０００４】
そこで本発明は、廻り縁に沿って配設される配管と廻り縁とを一体的に覆い、外観性及び美観の向上を図ることのできる配管カバーを提供することを目的としている。
【課題を解決するための手段】
【０００５】
上記目的を達成するため、本発明の配管カバーは、壁と天井とのコーナー部に取り付けられる廻り縁に沿って配設される配管を覆うための配管カバーにおいて、前記配管を壁面に支持する配管支持部材と、該配管支持部材に係合し、配管及び配管支持部材を覆うカバー体とを備え、該カバー体に、前記廻り縁を覆う化粧板を一体に設けたことを特徴としている。
【発明の効果】
【０００６】
本発明の配管カバーによれば、簡単な構造で、配管と廻り縁とを一体的に覆うことができるので、外観性及び美観の向上を図ることができる。
【発明を実施するための最良の形態】
【０００７】
図１及び図２は本発明の配管カバーの一形態例を示すもので、図１は施工状態を示す断面図、図２は分解斜視図である。
【０００８】
配管カバー１０は、壁２０と天井３０とのコーナー部に取り付けられる廻り縁４０の下方に沿って配設された配管５０を支持するとともに覆うためのもので、塩化ビニルやＡＢＳ樹脂等の合成樹脂を射出成形して形成されている。この配管カバー１０は、配管５０を壁２０に支持する配管支持部材１１と、該配管支持部材１１に係合し、配管５０及び配管支持部材１１を覆うカバー体１２とを備えている。
【０００９】
前記配管支持部材１１は、廻り縁４０の下端部に沿って壁２０に取り付けられる長尺の取付板１１ａと、該取付板１１ａに突設される環状係合部１１ｂとを備えている。取付板１１ａは、上縁部及び下縁部に、カバー体１２を係合させる係合凸部１１ｃ，１１ｃが形成されるとともに、上下方向中央部に複数の挿通孔１１ｄを備え、該挿通孔１１ｄに挿通するねじ部材１３によって壁２０に取り付けられる。環状係合部１１ｂは、前面側にスリット１１ｅを備えた断面Ｃ字状に形成され、取付板１１ａの所定の位置に突設され、前記配管５０は環状係合部１１ｂの開口を押し広げて圧入されることによって支持される。
【００１０】
前記カバー体１２は、前記配管支持部材１１に装着されて前記配管支持部材１１及び前記配管５０を覆う本体部１２ａと、該本体部１２ａに一体形成されて前記廻り縁４０を覆う化粧板１２ｂとを有している。本体部１２ａは、配管５０及び配管支持部材１１を覆う大きさで、前面板１２ｃから配管支持部材１１に向かって一対の係合片１２ｄ，１２ｄを突出させた断面略コ字状に形成され、各係合片１２ｄ，１２ｄの突出端部内面には、配管支持部材１１の前記係合凸部１１ｃ，１１ｃに係合する係合凹部１２ｅ，１２ｅがそれぞれ設けられている。化粧板１２ｂは、その外面が前面板１２ｃの外面と面一な状態でカバー体１２の一側方に突出しており、廻り縁４０の前面を覆える大きさに形成されている。また、カバー体１２は、所定の長さに形成されたものを繋げて用いられ、両端部には印籠継ぎのための凸部１２ｆと凹部１２ｇとがそれぞれ設けられている。
【００１１】
このように形成された配管カバー１０は、配管支持部材１１の各挿通孔１１ｄにねじ部材１３を挿通し、該ねじ部材１３を壁２０にねじ込むことによって、配管支持部材１１を壁２０の規定された位置に取り付ける。壁２０に取り付けられた配管支持部材１１の環状係合部１１ｂに配管５０を圧入して支持させる。化粧板１２ｂを廻り縁４０側、すなわち上方に向けた状態で、カバー体１２の凸部１２ｆを、連結するカバー体１２の凹部１２ｇに挿入して複数のカバー体１２を印籠継ぎしながら、各カバー体１２の係合凹部１２ｅ，１２ｅを、配管支持部材１１の係合凸部１１ｃ，１１ｃに係合させることにより、複数のカバー体１２で配管５０及び配管支持部材１１を覆うとともに、カバー体１２の化粧板１２ｂで廻り縁４０の前面を覆う。
【００１２】
このように、配管カバー１０によって、配管５０と廻り縁４０とを一体的に覆うことができるので、外観性及び美観の向上を図ることができる。また、配管カバー１０は、壁や天井の色に応じて、適宜着色したり地模様を付けたりすることができ、外観や美観を更に向上させることができる。
【００１３】
なお、配管カバーにおける配管支持部材及びカバー体は、配管の径や廻り縁の大きさなど応じて任意の形状で形成することが可能であり、化粧板は前面板と面一であることがデザイン上は好ましいが、面一でなくてもよい。また、配管を天井に配設した場合でも、カバー体によって配管及び廻り縁を覆うことができる。さらに、入隅の見切り縁や巾木に沿って配管を配設する場合にも適用可能である。
【図面の簡単な説明】
【００１４】
【図１】本発明の一形態例を示す配管カバーの施工状態を示す断面図である。
【図２】同じく分解斜視図である。
【符号の説明】
【００１５】
１０…配管カバー、１１…配管支持部材、１１ａ…取付板、１１ｂ…環状係合部、１１ｃ…係合凸部、１１ｄ…挿通孔、１１ｅ…スリット、１２…カバー体、１２ａ…本体部、１２ｂ…化粧板、１２ｃ…前面板、１２ｄ…係合片、１２ｅ…係合凹部、１２ｆ…凸部、１２ｇ…凹部、１３…ねじ部材、２０…壁、３０…天井、４０…廻り縁、５０…配管
【図１】
2007327561.tif 000003
【図２】
2007327561.tif 000004
(57)【要約】【課題】技術的に容易でかつ床下地材を簡単に設置できる床構造の構築方法を提供することである。【解決手段】床構造の構築方法は、コンクリートスラブの上面における配管１を覆うように適宜幅の上板７と、該上板７の下面に適宜間隔ごとに設置した支持脚８とからなる被覆体６を不陸調整材１０ａを介して設置した後、該被覆体６の上面に薄い床下地材１１を設置するとともに、該薄い床下地材１１の両側に密接させて他の床下地材１２をコンクリートスラブ２の上面に不陸調整材１０を介して設置することである。【選択図】図１
2007327290.tif 000002
【特許請求の範囲】
【請求項１】
コンクリートスラブの上面における配管を覆うように適宜幅の上板と、該上板の下面に適宜間隔をもって設置した支持脚とからなる被覆体を不陸調整材を介して設置した後、該被覆体の上面に薄い床下地材を設置するとともに、該薄い床下地材の両側に密接させて他の床下地材をコンクリートスラブの上面に不陸調整材を介して設置することを特徴とする床構造の構築方法。
【請求項２】
被覆体は薄い床下地材の下面に設置されていることを特徴とする請求項１に記載の床構造の構築方法。
【発明の詳細な説明】
【技術分野】
【０００１】
本願発明は床構造の構築方法に関するものである。
【背景技術】
【０００２】
従来、集合住宅における床構造は、図７に示すように、コンクリートスラブ１７の上面にモルタルなどの不陸調整材１８を介して発泡プラスチックス製の床下地材１９が密接状に敷き詰められて構成されている。この床下地材１９を配管２０が設置されたコンクリートスラブ１７に設置するには、床下地材１９の底面を切り欠いていた。また、その他の床構造としては、例えば特開２００６−４５８８７号の発明が知られている。
【特許文献１】特開２００６−４５８８７号公報
【発明の開示】
【発明が解決しようとする課題】
【０００３】
しかし、上記の床構造は、配管が設置されたコンクリートスラブに床下地材を設置するのに現場で底面を切り欠いていたため、この切り欠きに技術を要し、かつ配管部の床下地材の設置に手間がかかるという問題があった。
【０００４】
本願発明はこれらの問題に鑑みてなされたものであり、その目的は、技術的に容易でかつ床下地材を簡単に設置できる床構造の構築方法を提供することである。
【課題を解決するための手段】
【０００５】
以上の課題を解決するための床構造の構築方法は、コンクリートスラブの上面における配管を覆うように適宜幅の上板と、該上板の下面に適宜間隔をもって設置した支持脚とからなる被覆体を設置した後、該被覆体の上面に薄い床下地材を不陸調整材を介して設置するとともに、該薄い床下地材の両側に密接させて他の床下地材をコンクリートスラブの上面に不陸調整材を介して設置することを特徴とする。また被覆体は薄い床下地材の下面に設置されていることを含むものである。
【発明の効果】
【０００６】
床下地材の下面を切り欠くことがないので施工効率が良くなる。また配管設置部だけを独立させたピット仕様とし、上部に施工される床下地材の厚みを考慮したレベル出しができるため被覆体の上部に床下地材を直接張る施工ができる。また被覆体が薄い床下地材の下面に設置されていることから、配管の上に薄い床下地材を設置するだけで、配管部における床下地材の設置ができるので施工が簡単にできる。
【発明を実施するための最良の形態】
【０００７】
以下、本願発明の床構造の構築方法の実施の形態を図１〜図６に基づいて説明する。この床構造は集合住宅におけるものであり、コンクリートスラブの上面にモルタルなどの不陸調整材を介して発泡プラスチックス製の床下地材を密接状に敷き詰めて構成されたものである。
【０００８】
はじめに、図１に示すように、排水管などの配管１が施工されたコンクリートスラブ２の壁面３にレベル調整のための際根太４を束材５により設置する。次に、図２に示すように、コンクリートスラブ２における配管部に被覆体６を設置して配管１を覆う。
【０００９】
この被覆体６は、図３に示すように、合板などの平面矩形の上板７と、この上板７の下面に適宜間隔ごとに設置した支持脚８とからなり、これらの支持脚８間に連結材９が設置され、該連結材９に上板７が接合されている。したがって、この被覆体６が配管１を跨ぐようにして（支持脚８が配管１の両側に位置するように）設置されると、上板７で配管１が覆われて保護される。この被覆体６も支持脚８の下側における不陸調整材１０ａを介してコンクリートスラブ２の上面に設置され、この不陸調整材１０ａによって不陸が調整される。この不陸調整材１０ａはスポンジに接着剤を染み込またものであり、このスポンジで不陸を調整してレベルをとった後に接着剤を固化させて固定するものである。この不陸調整材１０ａはスポンジなので調整が簡単でかつ何度でも行える。なお、被覆体６の連結材９は支持脚８の内側ではなく、外側にも設置することができる。
【００１０】
次に、図４に示すように、この被覆体６の上面に薄い床下地材１１を設置して接着剤などで接着する。そして、この薄い床下地材１１の両側におけるコンクリートスラブ２に不陸調整材１０を介して他の床下地材１２を設置して薄い床下地材１１に密接させて際根太４によってレベル調整をする。
【００１１】
上記の床下地材１１、１２は発泡樹脂複合体であり、ポリスチレン系樹脂、ポリレオフィン系樹脂、ウレタン系樹脂などの発泡樹脂からなる下部材１３と、この下部材１３の上面に設置された硬質熱可塑性発泡樹脂の桟木（図示せず）から構成されている。
【００１２】
次に、レベル調整されたこれらの床下地材１１、１２の上面に仕上げ板１４を敷き詰めて床構造１５を構築すると、配管１が施されたコンクリートスラブ２であっても床下地材１１、１２の設置が簡単にできる。
【００１３】
また図６は他の実施の形態の被覆体１６であり、上記の被覆体１６が薄い床下地材１１の下面に一体的に接着されて形成されたものである。このように被覆体１６が薄い床下地材１１に一体的に接着されると、被覆体１６の設置と同時に床下地材１１も設置されるため効率的な施工をすることができる。
【図面の簡単な説明】
【００１４】
【図１】配管が施工されかつ際根太が設置されたコンクリートスラブの断面図である。
【図２】（１）は配管を覆うように被覆体を設置したコンクリートスラブの断面図、（２）は同平面図である。
【図３】被覆体の斜視図である。
【図４】コンクリートスラブの上面に床下地材を設置した断面図である。
【図５】床下地材の上面に仕上げ板を敷き詰めた断面図である。
【図６】他の実施の形態の被覆体の断面図である。
【図７】従来の床構造の断面図である。
【符号の説明】
【００１５】
１、２０  配管
２、１７  コンクリートスラブ
３  壁面
４  際根太
５  束材
６、１６  被覆体
７  上板
８  支持脚
９  連結材
１０、１０ａ、１８  不陸調整材
１１、１２、１９  床下地材
１３  下部材
１４  仕上げ板
１５  床構造
【図１】
2007327290.tif 000003
【図２】
2007327290.tif 000004
【図３】
2007327290.tif 000005
【図４】
2007327290.tif 000006
【図５】
2007327290.tif 000007
【図６】
2007327290.tif 000008
【図７】
2007327290.tif 000009
(57)【要約】      （修正有）【課題】小型大型橋梁、コンクリート橋梁に使用出来る、土木橋梁用沓支承沓の提供。【解決手段】コンクリート橋にも使えて、２〜３個のローラも全力等分に１／３と出来、６０％転倒（少し）ボルト（アンカー）ボルト当応力計算に少し手間取るが応じる。ボルトを付け、後円形穴にアンカーボルトを入れて、モルタル円型のビニール管に入れて完了する。【選択図】図３
2007327169.tif 000002
【特許請求の範囲】
【請求項１】
図（１）（２）の可動シユーズ（Ａ、）（Ｂ）と（Ｃ）（Ｄ）（Ｅ）（Ｆ）円型長棒の一定応力とする。前項
2007327169.tif 000004
【発明の詳細な説明】
【発明の詳細な説明】
【００１】
2007327169.tif 000003
〔発明の属する技術分野〕
【００２】橋梁のシユユーズ、又建築その他の梁に応用される。
〔従来の技術〕
【００３】図（４）のように成り、（ＳＡＫＵＭＡ型可動大型橋梁シユーズ）と図（５）による等分でなくなるを均等にした。
2007327169.tif 000005
【手続補正書】
【提出日】平成19年5月15日(2007.5.15)
【手続補正２】
【補正対象書類名】明細書
【補正対象項目名】全文
【補正方法】変更
【補正の内容】
【発明の詳細な説明】
【技術分野】
【０００１】土木橋梁用沓支承沓の設計。全べての沓に出来得る．日本地震国ロラー沓の滑り０．０５としているがこの沓０．０３〜０．０２と成りたわみ１／１０００〜１／５０００の撓み起る時、自由にローラー固定する事と成る。【０００２】材質は鋼材として鋼材ＳＭ５７０を使う。【０００３】地震時鋼材ローラは０．０５で有るかそれを小さく、作る事が出来る。又、沓付けは易くなる、【０００４】
2007327169.tif 000006
して、やはり錆びにくいＳＭ５７０材とすれば、支承と成る沓とした。【０００５】今５００．０ｔの沓に作用したとして時の計算を概略計算しておく。
2007327169.tif 000007
他の部品もＳＭ５７０とする。【０００６】図（１〜４）によるＰ＝（ｑ−ｑ′）γとして鋼管を棒として（ｑ−ｑ′）＝Ｒとするとｑ′＝０．０ｃｍとしてＰ＝Ｒ×γと成り５００．０ｔとして図（２）の型ちと鋼棒ＬｃｍとするとＰ＝Ｒ×ｑ（Ｒ）直径Ｒ×１０３ｋｇ×Ｌ＝５００．０×１０３ｋｇ×Ｌ、Ｌ＝３０ｃｍとすると最底２ヶ以上Ｐ＝５００．０ｔ×１０３×Ｌ×２．０≧８００ｋｇ／ｍ２
2007327169.tif 000008
【図面の簡単な説明】
【０００７】
【図１】φ１５、００ｍｍ×Ｌ＝４００．０ｍｍのたて横から見た固定図。
【図２】橋梁たて方向から見た図。可働沓、固定沓
【図３】勾配６．０％とした時の細部図、固定、可動、沓とする。１．０本の主桁にかかる、沓と６．０％主幹直路６．０％を基準アッパーとする。高架橋として６．０％にそわせる図平にして害した。
【図４】
2007327169.tif 000009
【符合の説明】
【０００８】１．φ（ファイ）直径（ｍｍ）
２．ｑとｑ′は直径の管としてｑ′は０、０、鋼棒としたｑ＝φとする、φは直径
３．ｋｇはｔ（トン）を１，０００するｋｇ（キログラム）＝ｔ×１０３
４．ｋｇ／ｃｍ２は鋼材応力度。
５．▽印は研磨する面を示す。
2007327169.tif 000010
７．Ｌ＝長さ（ｃｍ）
【手続補正３】
【補正対象書類名】図面
【補正対象項目名】全図
【補正方法】変更
【補正の内容】
【図１ａ】
2007327169.tif 000011
【図１ｂ】
2007327169.tif 000012
【図２ａ】
2007327169.tif 000013
【図２ｂ】
2007327169.tif 000014
【図３】
2007327169.tif 000015
【図４】
2007327169.tif 000016
(57)【要約】【課題】従来の自動車の板ばねやエアによるクッションは人や物を飛び跳ねたりする、台車はガタガタとやかましく、自転車サドルも飛び跳ねる。【解決手段】梃子を垂直にばねで引っ張る。梃子に衝撃をあたえても吸収して跳ね返すことが無いので、人や物を跳ねたり飛ばしたりしなく成り、台車に取り付けるとガタガタと言う音が無く成り静かに成る。梃子による梃子式衝撃静止装置。自動車、自転車、台車、の分野の衝撃静止と防音に関するものである。振動を梃子とばねを垂直に引き振動を静止させる。符号の説明図１、自動車に梃子とばねを取り付けた図。図２、葬儀用台車図３  家具の転倒静止器具図４  サドル図５  サドル図６  手押し台車防音図７  自転車のフレーム図８  トラック用衝撃静止装置  １  梃子  ２  ばね  ３  棺おけ  ４  ゴム  ５  家具  ６  壁  ７  サドル【選択図】図７
2007327650.tif 000002
【特許請求の範囲】
【請求項１】
梃子式衝撃静止。てことばねの連結。ばねで静止の状態を保つ為上下に強い衝撃が有っても、静止状態にもどる。衝撃を跳ね返さない方法である。棒の支点を利用して、小さい衝撃も大きい衝撃も上下つりあった力で、跳ねる事なく静止する力学と法則の利用範囲、１、自動車。２、台車。３、家具の転倒防止。４、サドル。５、自転車。など利用範囲の広い、梃子による梃子式衝撃静止と防音を目的とする。梃子を引っ張って上下運動静止させる。
【発明の詳細な説明】
【発明の詳細な説明】
【産業上の利用分野】
【０００１】本発明は梃子による梃子式衝撃静止する装置である、梃子とばねを連結構造を創作した分野、自動車、台車、家具、サドル、自転車、の衝撃を吸収する装置に関するものである。
【背景技術】
【０００２】従来の自動車は、板ばね又は、エアーによる衝撃を吸収しているので、どうしても跳ね上り、人も物も飛び跳ね、台車はガタガタと、やかましく、家具の転倒防止は衝撃吸収装置も無く、自転車サドルも人が飛び跳ねたり、文化財、精密機械などの運搬用の衝撃静止装置が無いのが現実である。
【発明が解決しようとする課題】
【０００３】上記のように従来の技術は衝撃のバウンドで飛び跳ねる欠点があります。
【実施例】
【０００４】図１、自動車に取り付けた図。図２、葬儀用の台車の図。図３、家具の転倒防止の衝撃静止の図。図４、サドルに取り付けた図。図５、サドルの断面図。図６、手押し台車に取り付けた図。図７、自転車のフレームに取り付けた図。図８、衝撃を静止する台をトラックの荷台に取り付けた図。
【作用】
【０００５】梃子を上下に動かないように、はねで垂直方向に引っ張る事で衝撃を静止して跳ね返さないで静止する。
【発明の効果】
乗物、自動車、台車、耐震、自転車などに衝撃静止装置を取り付けると、衝撃を吸収したあと静止状態に成るので、物や人を跳ね飛ばさない効果が有る。台車に取り付けるとガタガタと言う音が無く成る
【図面の簡単な説明】
【０００６】
【図１】自動車に取り付けた図  １、梃子、２、ばね
【図２】台車（葬儀用）図木製  ３、棺おけ  ４、ゴム
【図３】家具の転倒静止器具、５、家具  ６、壁
【図４】サドルに取り付けた図  ７、サドル
【図５】サドルに取り付けた図
【図６】台車に取り付けた図
【図７】自転車に取り付けた図
【図８】トラックの荷台に取り付けた衝撃静止装置の図。
【図１】
2007327650.tif 000003
【図２】
2007327650.tif 000004
【図３】
2007327650.tif 000005
【図４】
2007327650.tif 000006
【図５】
2007327650.tif 000007
【図６】
2007327650.tif 000008
【図７】
2007327650.tif 000009
【図８】
2007327650.tif 000010
(57)【要約】【課題】従来の養毛・育毛剤に比べて、育毛作用・養毛作用・抜け毛防止作用が優れており、その使用価値の高い養毛・育毛剤を提供することである。【解決手段】少なくともアロエとドクダミをエタノールまたは焼酎に漬け込んだ液を使用する養毛・育毛剤と、少なくともアロエとドクダミとレモン又はクエン酸をエタノールまたは焼酎に漬け込んだ液を使用する養毛・育毛剤により、使用価値の高い養毛・育毛剤を提供する。【選択図】図１
2007169206.tif 000002
【特許請求の範囲】
【請求項１】
少なくともアロエとドクダミをエタノールまたは焼酎に漬け込んだ液を用いる養毛・育毛剤。
【請求項２】
少なくともアロエとドクダミとレモン又はクエン酸をエタノールまたは焼酎に漬け込んだ液を用いる養毛・育毛剤。
【発明の詳細な説明】
【技術分野】
【０００１】
この発明は、新規な育毛・養毛剤に関して、養毛・育毛・抜け毛防止・ふけ防止、白髪防止に使用されるものである。
【背景技術】
【０００２】
従来の養毛・育毛剤として、アロエを含む抽出液を使用して、養毛や育毛の効果を奏するものが存在する。また、医薬品として、血管拡張作用を有する育毛剤が販売されている。
【発明の開示】
【発明が解決しようとする課題】
【０００３】
これまでの技術による養毛・育毛の効果は明らかなものではなく、より一層効果のある育毛・養毛剤を鋭意研究した。そこで、第一発明としては、少なくともアロエとドクダミをエタノールまたは焼酎に漬け込んだ液を養毛・育毛剤として提供することである。
第二発明としては、少なくともアロエとドクダミとレモン又はクエン酸をエタノールまたは焼酎に漬け込んだ液を養毛・育毛剤として提供することである。
【発明の効果】
【０００４】
この発明に係る育毛・養毛剤においては、頭部に1日1回以上塗布する。
アロエとドクダミをエタノールまたは焼酎に漬け込んだ液を頭部に塗布した時、約1週後から髪の量が増える場合と、こしやはりの出る場合、さらに、禿げた部分に毛が生える場合、抜け毛が減る場合を経験した。    
アロエとドクダミとレモン又はクエン酸をエタノールまたは焼酎に漬け込んだ液を塗布した場合にも、優れた育毛・養毛効果を発揮することができた。
図１に示すとおり、本発明に係る養毛・育毛剤を使用した場合、禿げた部分に塗布した場合には1週間で約4mm、1カ月で約2cm生えた。従来品よりも育毛作用は優れていた。以上のことから、本発明は従来品にない育毛・養毛効果を発揮することができる。
【発明を実施するための最良の形態】
【０００５】
この発明の一実施形態は瓶に焼酎とぶつ切りにしたアロエ、乾燥したドクダミ、レモンのぶつ切りまたはすり下ろしたレモン汁を入れ、1週間以上漬け込み、その漬け込み液をこして用いる。アロエ(生重)1kg、ドクダミ（生重）30本、レモン（生重）250g、焼酎1.8Lの割合で漬け込む。
【０００６】
この発明の第二の実施形態は、瓶にエタノール(35度が望ましい)とぶつ切りにしたアロエ、ぶつ切りにしたレモンまたはすり下ろしたレモン汁を入れ、1週間以上漬け込み、この漬け込み液をこして用いる。
【０００７】
本発明の試験結果は以下のとおりである。
・試験対象：Ａ氏（74才男性）
・試験方法：朝晩、禿の部分に養毛・育毛剤を塗布した。
・第一実施例として、養毛・育毛剤を塗布約1週間後、禿の部分に約4mmの髪の毛が生えはじめ、1カ月後に約1.5cm伸びた。髪の毛は白髪でなく、黒味を帯びていた。2ヵ月後には約2cmになった。
一方、市販の育毛剤を使用した場合には、本発明による養毛・育毛剤程、髪の毛は生えてこなかった。
【０００８】
B氏（43才男性）、C氏(56才男性)、D氏(41才女性)についても同様な塗布を行ったところ、髪の毛の量の増加、禿の部分に髪の毛が生えてくること、抜け毛の減少を経験した。
【図面の簡単な説明】
【０００９】
【図１】本発明に係る養毛・育毛剤を使用した場合の試験結果をグラフに示した。
【図１】
2007169206.tif 000003
(57)【要約】【課題】化学薬品配合の入浴剤ではなく、天然鉱石を素材として、湯をミネラル化させ、家庭の浴槽で温泉浴を再現しながら、素材としての麦飯石の特性を活かし、心身の健増進に役立つように浴槽に添加して用いる他、泥パックやオリジナルのスキンケアの素材として用いる。【解決手段】麦飯石を４００メッシュ以上の超微粉末にし、滑石粉、その他鉱石の微粉末を配合したものである。【選択図】なし【特許請求の範囲】
【請求項１】
水道水にミネラルを放出し、遠赤外線効果の特性を持つ麦飯石を微粉末化し、滑石粉、その他の鉱石の微粉末を配合した入浴、半身浴、足浴、顔や頭皮のパック、スキンケア化粧品を作る素材としても多目的使用を特徴とする入浴剤。
【発明の詳細な説明】
【技術分野】
【０００１】本発明は体と肌のため、浴槽内の湯に入れるだけでなく、足浴、半身浴、顔や頭皮のパック、化粧品に混ぜオリジナルスキンケアを作るための入浴剤に関する。
【背景技術】
【０００２】日本人にとって入浴は、体と心を癒し、疲労回復としても日常生活において習慣的であり、この入浴時に香りや、肌に効果的な化学薬品の入浴剤、又は温泉を再現するような入浴剤が多種販売されている。また、本発明の素材鉱物は、従来、石のままや小石を網袋に入れた状態で浴槽に沈めて使用している。
【発明の開示】
【発明が解決しようとする課題】
【０００３】入浴剤は化学薬品の製品が殆どである。化学薬品の入浴剤は、過敏な肌に対してトラブルを起こすことも多く、毛穴から体内に吸収されることから、特に子供や妊婦から胎児への悪影響について考える。９００年前より、中国漢方で肌治療に使用されていた麦飯石はイオウのように風呂釜を傷めず、鉱石のまま浴槽に沈めて使用していたが、水がミネラル化する還元時間が５時間は必要である。その上、多孔石は雑菌などの吸着力があるといわれるが吸着力の許容量の範囲を超えると雑菌の繁殖が増加する危険度が高いため、１ヶ月に一度の以上、石を洗浄する必要がある。
また、麦飯石だけでは入浴後の肌の乾燥に対処せず、幼児、肌過敏症、高齢者には湯の肌触りが強過ぎる。
【発明が解決するための手段】
【０００４】麦飯石の鉱石を４００メッシュ以上の超微粉末にする。入浴時の肌触りの良さと入浴後の乾燥に対し、皮膚治療薬として使用されていた滑石粉、その他の鉱石の粉末を配合。
【発明の効果】
【０００５】浴槽の掃除の度に、湯と混ざった入浴剤が捨てられることで、雑菌の繁殖の危険度は回避された。また、微粉末にすることで吸着面が数億倍となり、還元時間も短縮された。麦飯石の遠赤外線特性で体が温まり、新陳代謝の活性と湯のミネラル化が図れ、配合した他の鉱石により、肌触りが柔らかくなる。入浴剤の使用だけでなく、水に溶き、泥状にすることで、顔や頭皮のパックも可能。化粧水などに混ぜ、オリジナル化粧品を作るスキンケア素材としても可能になる。又、浴槽の掃除時は、釜の汚れも粉末が吸着し、流した湯は排水溝の汚れも落としながら、川、海への自然環境にも悪影響を及ぼさない。
化学薬品を使用せず、天然の素材で体、肌、環境に悪影響を及ぼさない優れた発明である。
【実施例】
【０００６】４００メッシュ以上の麦飯石微粉末７０％に対し、滑石粉とその他の鉱石の粉末３０％配合。肌の過敏症、幼児、高齢者、一般に試用。副作用発症は一例もなく、入浴以外、顔、頭皮のパック、化粧品との配合等でも効用の報告があった。
【産業上の利用可能性】
【０００７】本発明は化学薬品を一切使用せず、天然鉱石の微粉末のみで、副作用もなく、水からカルキ等の有害物質を吸着してミネラル化し、幼児から高齢者まで体と肌の健康増進のために使用できる入浴剤。スキンケアの素材としても使用可能な多目的な入浴剤。
(57)【要約】【課題】利用客の不快感を軽減するとともに無駄な走行となる走行回数を減少させるエレベータ制御装置を提供すること。【解決手段】上記目的について本発明では、図１に示すように、分散待機手段３が発動する所定時間前かを検出する分散予告検出手段５と、分散予告検出手段５の検出により乗場にエレベータ乗りかごが間もなく出発することを報知する分散予告報知手段６を設けることによって実現するものである。【選択図】図１
2007169006.tif 000002
【特許請求の範囲】
【請求項１】
乗場呼びおよびかご呼びに応答し、複数の階にサービスし、前記サービス終了後に一定時間が経過すると任意の待機階で待機する分散待機手段を有するエレベータ制御装置において、前記分散待機手段が発動する所定時間前かを検出する分散予告検出手段と、前記分散予告検出手段の検出により乗場にエレベータ乗りかごが間もなく出発することを報知する分散予告報知手段が設けられていることを特徴とするエレベータ制御装置。
【請求項２】
前記請求項１に示すエレベータ制御装置において、前記分散予告報知手段は乗場に設置のかご位置表示器のかご位置表示を点滅させることを特徴とするエレベータ制御装置。
【発明の詳細な説明】
【技術分野】
【０００１】
本発明はエレベータ制御装置に関するものである。
【背景技術】
【０００２】
乗場呼びおよびかご呼びに応答後、所定時間経過すると任意の待機階で待機するエレベータは、乗りかご位置が待機階でない場合には乗りかご戸が閉じた後所定時間経過に待機階に向けて走行開始する方式のエレベータは周知である（特許文献１参照）。
【特許文献１】特開平０６−６４８５１号公報。
【発明の開示】
【発明が解決しようとする課題】
【０００３】
上記背景技術は、利用客が乗場呼びを登録しようと乗場ボタンを操作する直前に所定時間になってしまった場合には、何の前兆も無く待機階に向けて走行開始してしまい、一度他の階に走行してから乗場呼びに応じるため、他に利用客がいないのに乗りかごに乗車拒否をされたかのような不快感を利用客に与え、さらに無駄な走行を行ってしまう問題があった。
【０００４】
本発明の目的は上記の欠点に鑑みてなされたものであり、利用客の不快感を軽減するとともに無駄な走行となる走行回数を減少させるエレベータ制御装置を提供することにある。
【課題を解決するための手段】
【０００５】
上記目的について本発明では、分散待機手段が発動する所定時間前かを検出する分散予告検出手段と、分散予告検出手段の検出により乗場にエレベータ乗りかごが間もなく出発することを報知する分散予告報を備えることによって実現するものである。
【発明の効果】
【０００６】
本発明によれば、利用客の不快感を軽減するとともに無駄な走行となる走行回数を減少させるエレベータ制御装置を提供することができる。
【発明を実施するための最良の形態】
【０００７】
以下、本発明を実施するための最良な形態について図面を参照し、説明する。
【０００８】
図１は本実施形態における構成図を示すものである。
【０００９】
１は図示しないエレベータ機械室に設置のエレベータ制御盤を示す。制御盤１の中において、２は公のエレベータ制御装置を示す。３は図示しないエレベータ乗りかごを任意の待機階で待機させる公の分散待機手段を示す。４は各階乗場に設置の乗りかご位置表示器７に出力する乗りかご位置表示出力手段を示す。
【００１０】
５は前記分散待機手段が発動する所定時間前となったかを検出する分散予告検出手段を、６は前記分散予告検出手段により乗場に分散予告用の報知信号を作成する分散予告報知手段を示す。
【００１１】
図２は、本発明における分散予告報知の動作をフローチャートにより説明するものである。図中Ｓｌ〜Ｓ４にて、分散予告を開始するタイマＴｌをカウントアップするか判定を行う。タイマＴｌのカウントアップ条件が成立していればＳ５に進みタイマＴｌをカウントアップする。条件不成立であればＳ６に進みタイマＴｌはクリアされる。Ｓ７に進むとカウントアップしたタイマＴｌが所定のカウントを満了したか、即ち分散待機手段３が発動する所定時間前であるかを判定し、タイマＴｌがカウントアップ満了であればＳ８に進み分散予告報知手段により報知信号を作成し、乗場に分散予告報知する。タイマＴｌがカウントアップ満了していない場合やＴｌがクリアされている場合はＳ９に進み分散予告報知は行われない。
【００１２】
分散予告報知は、乗場に設置のかご位置表示器のかご位置表示を点滅させる方式でも、本実施形態にないホールランタンの点滅などでもかまわないものとする。
【図面の簡単な説明】
【００１３】
【図１】本発明に係るエレベータ制御装置の構成例を示した図である。
【図２】本発明に係る乗場設置の動作を示すフローチャートである。
【符号の説明】
【００１４】
１  エレベータ制御盤
２  エレベータ制御装置
３  分散待機手段
４  乗りかご位置表示出力手段
５  分散予告検出手段
６  分散予告報知手段
７  乗りかご位置表示器（乗場設置）
【図１】
2007169006.tif 000003
【図２】
2007169006.tif 000004
(57)【要約】【課題】本願発明は、ヘドロなどの高含水堆積物の野外脱水中、脱水施設の土地の有効利用を図る方法の提案にあるにある。【解決手段】単位部材を連結しながら貯留空間を構成し、当該貯留空間をヘドロの貯留空間とし、そのヘドロ貯留空間の周囲を強度のある資材にて固定し、ヘドロ中の水分を土中に浸透させ、その貯留空間の上部を土盛りすることで、ヘドロ貯留空間上部を利用可能としたヘドロ貯留浸透施設である。【選択図】図1
2007169941.tif 000002
【特許請求の範囲】
【請求項１】
単位部材を連結しながら貯留空間を構成し、当該貯留空間をヘドロの貯留空間とし、そのヘドロ貯留空間の周囲を強度のある資材にて固定し、その貯留空間の上部を土盛りすることで、ヘドロ貯留空間上部を利用可能としたことを特徴とするヘドロ貯留処理施設。
【発明の詳細な説明】
【技術分野】
【０００１】
本発明は、河川、湖沼、ダムなどの底に堆積した堆砂、ヘドロあるいは下水道処理場などから排出される活性汚泥などを含む泥水などのヘドロ処理技術に属する。
【背景技術】
【０００２】
河川や湖沼の表底層に堆積しているヘドロなどの高含水堆積物は、浚渫工事などにおいて掘削した場合、廃棄処分が困難であるとともに、放置しておくと近隣の環境に影響を与える場合もある。またダムなどに堆積した堆砂、ヘドロはダムの有効容積を減少させその寿命を縮める。
従来から、かかる高含水堆積物を処理する方法が種々提案されている。
【０００３】
その方法は、ヘドロなどの高含水堆積物を透水性のある袋体に入れ、これを積み上げて脱水処理を行うものである。他の方法は、ヘドロなどの高含水堆積物を各種プレス機あるいは遠心分離機を用いて、機械的に脱水する方法である。
石灰やセメントなどの固化材を用いて、泥状物を直接固化して廃棄する方法もある。
【０００４】
これら堆砂、粘土、活性汚泥などを高濃度で含む泥水の脱水を野外で実施する方法は、いずれも長期間を要し、脱水作業の継続中はその土地の有効活用はできない。本発明者らが特開2004-337796にて開示した方法は各ブロックをろ過あるいは脱水材として使用していたため目詰まりなどで効率に問題があった。
【特許文献１】特開2004-337796
【発明の開示】
【発明が解決しようとする課題】
【０００５】
本願発明は、ヘドロなどの高含水堆積物の野外脱水中、脱水施設の土地の有効利用を図る方法の提案にある。
【課題を解決するための手段】
【０００６】
本発明は、単位部材を連結しながら貯留空間を構成し、当該貯留空間をヘドロの貯留空間とし、そのヘドロ貯留空間の周囲を強度のある資材にて固定し、その貯留空間の上部を土盛りすることで、ヘドロ貯留空間上部を利用可能としたヘドロ貯留処理施設である。ヘドロ貯留空間上部を利用するため貯留空間を空間率の高く、強度のある単位部材で構成した。
【発明の効果】
【０００７】
ヘドロの脱水に使用する貯留空間の上部を土盛りしたため、施設上部を公園、駐車場などとして使用できる。
【発明を実施するための最良の形態】
【０００８】
以下、本発明を、図を用いて、より詳細に説明する。
図１および図２は、本発明のヘドロ貯留浸透施設の概念図である。
【０００９】
図１は、本ヘドロ貯留浸透施設を地中に設けた例を示している。
図２は、本ヘドロ貯留浸透施設を地上に設けた例を示している。
いずれの図に示されたように本ヘドロ貯留浸透施設は、単位部材を配設あるいは相互に連結し貯留空間を形成する。
【００１０】
図1に示した貯留空間は地中に構成され、その周囲は透水性のシートで覆われ、貯留空間は周囲の土によってその形状が保たれる。貯留空間の上部は雨水が浸透して貯留空間内に入らないよう遮水性のシートで覆うことが好ましい。また、基礎面は水分を地中に浸透させる場合は特に透水性のシートを必要としない。貯留空間に導入されたヘドロ中の水分は透水性シートおよび基礎面を介して周囲の土中に浸透し、徐々にそのヘドロとしての容積を減少させる。
【００１１】
図２は、貯留空間を地上もしくは湖岸などに沿って設ける例である。地上にタンク状に設ける場合は、貯留空間の周囲をコンクリートなどの擁壁で囲み、貯留空間の形状を保つようにしたものである。なお、貯留空間の上部を遮水性のシートで覆うことは前記と同様である。
ヘドロ中の水分は、基盤より土中に浸透して徐々にそのヘドロとしての容積を減少させる。なお必要に応じて周囲のコンクリートのひびなどからの漏水を防ぐため貯留空間のコンクリートと接する場所は遮水性シートなどで覆うなど適宜必要に応じ実施することができる。湖岸などに沿って貯留空間を設ける場合は、湖岸を貯留空間の形状を保たせる擁壁として活用することもできる。
【００１２】
いずれも、ヘドロの貯留空間に空きが生じた場合、さらにヘドロを導入していくことは変わりがない。
貯留空間上部は土盛りされ、その上部は貯留空間を構成する単位部材の強度に応じ、公園、駐車場として使用することができる。
本ヘドロ貯留処理施設から汚水の発生する危惧のある場合は、図３に示すように貯留空間の上層部の単位部材と下層部の単位部材とを透水性シートで仕切り、貯留空間全体を遮水性シートで覆い、下層部を汚水貯留部とする。汚水貯留部に溜まった汚水は別途他の場所に導き処理することができる。
【００１３】
単位部材は、その材質は特に限定されないが、水に対する耐性と、必要な強度が得られるものが好ましく、ステンレススチール製あるいは熱可塑性のプラスチックあるいはガラス繊維などで強化されたプラスチック製が使用できる。一般的には、雨水の流出抑制を目的とする貯留浸透施設用に使用される貯留部材が使用できる。
【図面の簡単な説明】
【００１４】
【図１】は、 本発明の本ヘドロ貯留浸透施設の概念図である。
【図２】は、本発明の本ヘドロ貯留浸透施設の他の概念図である。
【図３】は、本ヘドロ貯留浸透施設からの汚水の排出方法を示す概念図である。
【図４】は、単位部材の例を示す。
【００１５】
１  ヘドロ貯留処理施設
２  単位部材
３  擁壁
４  シート
５  汚水貯留部  
【図１】
2007169941.tif 000003
【図２】
2007169941.tif 000004
【図３】
2007169941.tif 000005
【図４】
2007169941.tif 000006
(57)【要約】      （修正有）【課題】構造が簡単で、部品数の少ない、安価で故障の少ない、手動による作動感触が円滑良好な、デッドボルト駆動方法を提供する。【解決手段】開錠動作の指示信号や、サムターンの回転によって、出力ギア５は回転し、それにつれて連結する雄ネジ駆動ギア４も回転する。そのため、雄ネジ駆動ギア４と一体の雄ネジ９もネジの締まる方向に回転し、雌ネジ８が引きつけられて、それと一体のデッドボルト７は雌ネジ８のその横動と、デッドボルト枠穴ガイド１０の横動のためのガイドによって、開錠方向に移動する。【選択図】図１
2007169943.tif 000002
【特許請求の範囲】
【請求項１】
建具用扉錠において、デッドボルトの出入の駆動を、デッドボルト内に設置した、回転固定の雌ネジと、これに対応する雄ネジの回転によって行うことを特徴とする、デッドボルト駆動機構。
【発明の詳細な説明】
【技術分野】
【０００１】
この発明は、蝶番で開閉する扉の、施錠用扉錠のデッドボルトの駆動方法に関する。
【背景技術】
【０００２】
蝶番で開閉する扉錠では、従来は、デッドボルトがストライカに対して直線的に出入するものである。デッドボルトの直線的駆動は、回転部品とレバー部品によるリンク部品多数で構成されていて、たとえば、ゼネバ機構に類似した機構のものが多い。それらの回転とリンク部品による機構構成は、構造が複雑で、構成部品数も多く、製品単価の上昇や故障の原因になっている。また、リンク機構内部での力量の配分、力量の方向などの適正化が難しく、作動力量もしばしば重くなり、作動音も使用部品の衝突、摩擦などにより、しばしば大きくなり、また手動施開錠時の作動感触を円滑にすることも困難であった。
【０００３】
【特許文献１】特開２００２−２５０１６０
【発明の開示】
【発明が解決しようとする課題】
【０００４】
従来の扉錠のデッドボルト駆動方法は、上述のように、構造が複雑で、必要部品数も多く、作動力量の重いこと、作動音の大きいこと、手動による作動感触が円滑でないこと、また、製品単価の上昇や故障の原因になっていることなどの問題があった。        
【０００５】
本発明は、上述の状況を改善して、構造が簡単で、部品数の少ない、安価で故障の少ない、また、作動力量が少ない、作動音が低い、手動による作動感触が円滑良好な、デッドボルト駆動方法の扉錠を提供することを目的としている。
【課題を解決するための手段】
【０００６】
本発明では、デッドボルトの出入の駆動を、デッドボルト内に設置された雌ネジと、その雌ネジに対応する、錠前筐体に取り付けられた軸によって回動する、雄ネジで行う。雄ネジがネジの締まる方向へ回転すると、雌ネジは雄ネジに引き寄せられ、雌ネジの設置されたデッドボルトは横動し、一定の回転数で、開錠状態となる。雄ネジがネジの緩む逆方向へ回転すると、雌ネジは雄ネジから離れていき、その雌ネジの設置されたデッドボルトは、さきとは逆に、施錠方向に移動し、さきと同じ回転数で施錠状態となる。
【発明の効果】
【０００７】
この発明によれば、デッドボルトは、何らのリンクレバー部品を必要としなくて、回転だけで駆動される。その結果、デッドボルト駆動のための部品数も少なく、その構造は簡単となる。また、回転という安定した作動形式のため、力量伝達も効率化するため、作動力量は軽く、作動音は小さく、手動による作動感触も円滑となる。その結果、製品単価が安価で、故障の少ない扉錠を提供できる。
【発明を実施するための最良の形態】
【０００８】
本発明を図１と図２に示す実施例に基づいて説明する。
【実施例】
【０００９】
図１は施錠状態、図２は開錠状態を示している。
図１において、錠前筐体１の下部のデッドボルト枠穴ガイド１０に、デッドボルト７が配置される。デッドボルト７内には、雌ネジ８が加工設置されている。この雌ネジに対応した、雄ネジとそれと一体の雄ネジ駆動ギア４、雄ネジ回転軸３は、錠前本体１に設置された雄ネジ軸受２に回動可能なように軸支されている。
【００１０】
雄ネジ駆動ギア４には、ギアボックス６からの出力ギア５がギア連結されている。ギアボックス６は、これに連結する、図示されていないサムターンによって手動で、あるいは、図示されていない電動モータで、正逆の方向へ、一定の回転数、駆動される。
【００１１】
次に、この扉錠の動作について説明する。
【００１２】
図１の状態においては、雄ネジ９は雌ネジ８に少量分、ねじ込まれた状態にあり、デッドボルトは、図示されていないストライカへ突出し、施錠状態となっている。図示されない錠前筐体外部の施錠開錠コントロールセンタから開錠動作の指示信号や、図示されないサムターンの開錠方向への手動による回転によって、出力ギア5は回転し、それにつれて連結する雄ネジ駆動ギア４も回転する。そのため、雄ネジ駆動ギア４と一体の雄ネジ９もネジの締まる方向に回転し、雌ネジ８が引きつけられて、それと一体のデッドボルト７は、雌ネジ８のその横動と、デッドボルト枠穴ガイド１０の横動のためのガイドによって、開錠方向に移動する。デッドボルト７の施錠から開錠までの移動量は、雄ネジ９のネジピッチと、一定の回転数で決定される。その一定の回転数に達すると、電動の場合は、図示されていないＣＰＵコントローラがその回転を検知し、雄ネジ駆動ギア４を駆動する電動モータを停止し、開錠状態とする。手動の場合は、図示されていないサムターンの施錠から開錠までの一定の回転角度、たとえば９０度の回転が、図示されていないギア列の駆動で、雄ネジ駆動ギア４を介して雄ネジ９を、施錠から開錠に必要な一定の回転数だけ回転させ、開錠状態とする。
【００１３】
開錠状態から施錠状態へは、上記の逆の動作となり、雄ネジは、逆転して、施錠状態となる。
【図面の簡単な説明】
【００１４】
【図１】施錠状態を示す、錠前筐体の構造平面図
【図２】開錠状態を示す、錠前筐体の構造平面図
【符号の説明】
【００１５】
１  錠前筐体  
２  雄ネジ軸受
３  雄ネジ回転軸
４  雄ネジ駆動ギア
５  出力ギア
６  ギアボックス
７  デッドボルト
８  雌ネジ
９  雄ネジ
１０  デッドボルト枠穴ガイド
【図１】
2007169943.tif 000003
【図２】
2007169943.tif 000004
(57)【要約】【課題】    【０００１】  物理的制約がある場合であっても、取っ手を掴む動作及び扉の開閉の動作を容易に行うことを可能とし、また、それを実現することにより発生する費用、手間、廃棄物発生などといったリスクを低減する。【解決手段】    【０００２】  既存の取っ手に固定する後付式取っ手台座に、後付式取っ手本体を取り付ける後付式の補助取っ手である。    【０００３】  後付式としたことにより、扉の形状によらず汎用的に使用できるため、製造費用を低減することができる。    【０００４】  特殊な工事、工具、知識などを必要とせずに取り付けることができるため、取り付けにかかる費用、手間を低減することができる。    【０００５】  既存の取っ手をそのまま使用するため、廃棄物の発生を抑えることができる。【選択図】  図１
2007169998.tif 000002
【特許請求の範囲】
【請求項１】
既存の取っ手に固定する後付式取っ手台座に、後付式取っ手本体を取り付ける後付式の補助取っ手。
【発明の詳細な説明】
【技術分野】
【０００１】
本発明は、扉などに付いている取っ手の利便性を高めるための、補助具に関するものである。
【背景技術】
【０００２】
扉などには開閉のために、使用者が握る取っ手が備え付けられている。
【０００３】
既存の取っ手の取り付け位置や構造によっては使用しにくい場合があり、その際には使用者が工夫を必要とした。
【発明の開示】
【発明が解決しようとする課題】
【０００４】
既存の取っ手の設置場所や取り付け位置、形状などといった制約がある場合に、既存の取っ手の位置では、掴みにくい場合がある。
【０００５】
既存の取っ手を付け替えることで、適切な形状や取り付け位置にすることができるが、特殊な工事や専用工具が必要となることや、既存の取っ手が廃物として発生することが問題となる。
【０００６】
太さ、長さ、材質などの規格が定められる以前に作られた取っ手も多く存在しており、既存の取っ手を交換する場合の部品には、必ず現物に合わせて作成した専用設計品である必要があり、汎用性が低い。
【課題を解決するための手段】
【０００７】
既存の取っ手に覆い被せる形で、後付式取っ手台座を取り付ける。
【０００８】
後付式取っ手本体を取り付け、取っ手の突き出しが適正な方向に向くように取り付ける。
【０００９】
後付式取っ手は、汎用工具のみを用いて、既存の取っ手に固定する。
【発明の効果】
【００１０】
既存の取っ手が遠くて扱いにくい使用者に対して、後付式取っ手を取り付け、取っ手の物理的な位置を使用者に適正に近づけることによって、容易に掴むことを可能にする。
【００１１】
後付式にすることにより、特殊な工事や工具、知識を必要としなくなるため、取り付け時に生じる費用を低減させることができる。
【００１２】
後付式にすることにより、既存の取っ手が廃棄物として発生しない。
【００１３】
後付式取っ手本体を取り外し、上下を入れ替えることで、取っ手の突き出し向きを調節できるため、同一品で扉の表裏や既存取っ手の上下端に装着でき、汎用性を高めることができる。
【００１４】
扉ごとの専用品ではなく、汎用品とする為、製造費用を低減させることができる。
【００１５】
後付式取っ手本体の部品を交換するだけで、環境に合わせた取っ手の形状を選択することができるため、汎用性が高い。
【発明を実施するための最良の形態】
【００１６】
後付式取っ手台座は、既存の取っ手の上端もしくは下端に取り付ける。
【００１７】
後付式取っ手台座は、既存の取っ手に取り付け、動かないように確実に固定する。
【図面の簡単な説明】
【００１８】
【図１】後付式取っ手の構造と取り付け方法
【符号の説明】
【００１９】
１  後付式取っ手本体（取り付け位置により上下反対に取り付け可能）
２  後付式取っ手台座
３  後付式取っ手台座の固定用金具
４  後付式取っ手本体と後付式取っ手台座の固定用ネジ
５  後付式取っ手台座の固定用ナット
６  後付式取っ手台座の固定用ボルト
７  被取付取っ手（既存の取っ手）
【図１】
2007169998.tif 000003